【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
光源と、
複数の第１の小レンズを備え、前記複数の第１の小レンズによって前記光源から出射された光束を複数の部分光束に分割する第１のレンズアレイと、
前記第１のレンズアレイから出射された光束をほぼ一種類の偏光光束に変換する偏光変換素子と、を備えた照明装置であって、
前記偏光変換素子は、偏光分離面と反射面とを有し入射光束をＳ偏光光束とＰ偏光光束とに分離する複数の偏光分離ユニットと、S偏光光束の出射面及びＰ偏光光束の出射面のいずれかの面に配置されたλ／２位相差板とを備え、
前記複数の偏光分離ユニットの光束分離方向の配列ピッチが、前記照明装置の光軸中心から周辺部にかけて、徐々に小さくなっていることを特徴とする照明装置。
【請求項２】
請求項１に記載の照明装置において、この偏光分離素子の入射面から出射面までの距離が、光軸中心から周辺部にかけて、徐々に短くなるよう構成されてなることを特徴とする照明装置。
【請求項３】
請求項１または請求項２に記載の照明装置において、左右対称であることを特徴とする照明装置。
【請求項４】
請求項１乃至３のいずれかに記載の照明装置において、
前記第１のレンズアレイから射出された前記複数の部分光束が集光される位置近傍に配置される第２のレンズアレイを備えることを特徴とする照明装置。
【請求項５】
請求項１乃至４に記載の照明装置において、
前記偏光変換素子の後段に重畳レンズを備えたことを特徴とする照明装置。
【請求項６】
請求項５に記載の照明装置において、
前記偏光変換素子と前記重畳レンズとの間に、前記偏光変換素子から出射する光を整形するためのくさび型光学要素をさらに備えたことを特徴とする照明装置。
【請求項７】
請求項６に記載の照明装置において、
前記くさび型光学素子が、前記重畳レンズと前記偏光変換素子との少なくとも一方と一体となっていることを特徴とする照明装置。
【請求項８】
請求項１乃至３のいずれかに記載の照明装置において、
複数の第２の小レンズを備え、前記偏光変換素子の後段に配置され、偏光光束を後段の照明すべき領域に重畳させる機能を有する第２のレンズアレイと、を備えたことを特徴とする照明装置。
【請求項９】
請求項１乃至８のいずれかに記載の照明装置と、
前記照明装置からの光を赤、緑及び青の３つの色光に分離する色分離装置と、
前記３つの色光をそれぞれ変調するための３つの電気光学変調装置と、
前記３つの電気光学変調装置で変調された光を合成する色合成装置と、
前記色合成装置で合成された光を投写する投写レンズとを備えたことを特徴とするプロジェクタ。
【請求項１０】
偏光分離面と反射面とを有し入射光束をＳ偏光光束とＰ偏光光束とに分離する複数の偏光分離ユニットを備え、前記複数の偏光分離ユニットの光束分離方向の配列ピッチが、前記照明装置の光軸中心から周辺部にかけて、徐々に小さくなり、入射面から出射面までの距離が、光軸中心から周辺部にかけて、徐々に短くなることを特徴とする偏光分離素子を製造するための方法であって、以下の（ａ）乃至（ｃ）の工程を有することを特徴とする偏光分離素子の製造方法。
（ａ）第１の基板、偏光分離層、第２の基板、反射層の繰り返し構造を有し、かつこの繰り返し構造の繰り返しピッチが徐々に変化している基板ブロックを形成する工程。
（ｂ）前記基板ブロックを切断して、断面が前記偏光分離素子の片側半分の形状をした四角柱の光学ブロックを形成する工程。
（ｃ）前記光学ブロックを２枚準備して、これらの２枚の光学ブロックを左右対称になるように貼り合せて前記偏光分離素子とする工程。
【手続補正２】
【補正対象書類名】明細書
【補正対象項目名】００１８
【補正方法】変更
【補正の内容】
【００１８】
本発明の照明装置は、光源と、複数の第１の小レンズを備え、前記複数の第１の小レンズによって前記光源から出射された光束を複数の部分光束に分割する第１のレンズアレイと、前記第１のレンズアレイから出射された光束をほぼ一種類の偏光光束に変換する偏光変換素子と、を備えた照明装置であって、前記偏光変換素子は、偏光分離面と反射面とを有し入射光束をＳ偏光光束とＰ偏光光束とに分離する複数の偏光分離ユニットと、Ｓ偏光光束の出射面及びＰ偏光光束の出射面のいずれかの面に配置されたλ／２位相差板とを備え、前記複数の偏光分離ユニットの光束分離方向の長さが、光軸中心から周辺部にかけて、徐々に短くなっていることを特徴とする。
【手続補正３】
【補正対象書類名】明細書
【補正対象項目名】００２１
【補正方法】変更
【補正の内容】
【００２１】
本発明の照明装置は、光源と、複数の第１の小レンズを備え、前記複数の第１の小レンズによって前記光源から出射された光束を複数の部分光束に分割する第１のレンズアレイと、前記第１のレンズアレイから出射された光束をほぼ一種類の偏光光束に変換する偏光変換素子と、を備えた照明装置であって、前記偏光変換素子は、偏光分離面と反射面とを有し入射光束をＳ偏光光束とＰ偏光光束とに分離する複数の偏光分離ユニットと、Ｓ偏光光束の出射面及びＰ偏光光束の出射面のいずれかの面に配置されたλ／２位相差板とを備え、前記複数の偏光分離ユニットの光束分離方向の配列ピッチが、光軸中心から周辺部にかけて、徐々に小さくなっていることを特徴とする。
【手続補正４】
【補正対象書類名】明細書
【補正対象項目名】００２２
【補正方法】変更
【補正の内容】
【００２２】
このため、本発明の照明装置においては、輝度むらを抑制する効果を維持しつつ光利用効率の向上が図られる。その結果、本発明の偏光分離装置を用いることによって、照明装置の明るさが向上するとともに、プロジェクタの輝度をさらに向上させることができる。
【手続補正５】
【補正対象書類名】明細書
【補正対象項目名】００２３
【補正方法】変更
【補正の内容】
【００２３】
上記本発明の照明装置においては、この偏光分離素子の入射面から出射面までの距離が、光軸中心から周辺部にかけて、徐々に短くなるよう構成されてなることが好ましい。  
【手続補正６】
【補正対象書類名】明細書
【補正対象項目名】００２５
【補正方法】変更
【補正の内容】
【００２５】
上記本発明の照明装置のいずれかに記載の照明装置においては、左右対称であることが好ましい。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】変更
【補正の内容】
【００２９】
上記本発明の照明装置のいずれかに記載の照明装置においては、前記第１のレンズアレイから射出された前記複数の部分光束が集光される位置近傍に配置される第２のレンズアレイを備えることが好ましい。
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】変更
【補正の内容】
【００３１】
上記に記載の照明装置においては、上記偏光変換素子の後段に重畳レンズを備えることが好ましい。
【手続補正１２】
【補正対象書類名】明細書
【補正対象項目名】００３３
【補正方法】変更
【補正の内容】
【００３３】
上記に記載の照明装置においては、上記偏光変換素子と上記重畳レンズとの間に、上記偏光変換素子から出射する光を整形するためのくさび型光学要素をさらに備えることが好ましい。
【手続補正１３】
【補正対象書類名】明細書
【補正対象項目名】００３５
【補正方法】変更
【補正の内容】
【００３５】
上記に記載の照明装置においては、上記くさび型光学素子と上記重畳レンズとが一体となっていることが好ましい。
【手続補正１４】
【補正対象書類名】明細書
【補正対象項目名】００３７
【補正方法】変更
【補正の内容】
【００３７】
上記に記載の照明装置においては、上記偏光変換素子と上記くさび型光学素子とが一体となっていることが好ましい。
【手続補正１５】
【補正対象書類名】明細書
【補正対象項目名】００３９
【補正方法】変更
【補正の内容】
【００３９】
上記に記載の照明装置においては、上記偏光変換素子と上記くさび型光学素子と上記重畳レンズとが一体となっていることが好ましい。
【手続補正１６】
【補正対象書類名】明細書
【補正対象項目名】００４１
【補正方法】変更
【補正の内容】
【００４１】
上記本発明の照明装置のいずれかに記載の照明装置においては、複数の第２の小レンズを備え、前記偏光変換素子の後段に配置され、偏光光束を後段の照明すべき領域に重畳させる機能を有する第２のレンズアレイと、を備えることが好ましい。
【手続補正１７】
【補正対象書類名】明細書
【補正対象項目名】００４２
【補正方法】変更
【補正の内容】
【００４２】
このため、本発明の照明装置は、輝度むらを抑制する効果を維持しつつ光利用効率の向上が図られる。その結果、本発明の照明装置を用いることによって、プロジェクタの輝度をさらに向上させることができる。
【手続補正１８】
【補正対象書類名】明細書
【補正対象項目名】００４３
【補正方法】変更
【補正の内容】
【００４３】
上記いずれかの照明装置と、この照明装置からの光を赤、緑及び青の３つの色光に分離する色分離装置と、  上記３つの色光をそれぞれ変調するための３つの電気光学変調装置と、上記３つの電気光学変調装置で変調された光を投写する投写レンズとを備えたことを特徴とする。
【手続補正１９】
【補正対象書類名】明細書
【補正対象項目名】００４５
【補正方法】変更
【補正の内容】
【００４５】
上記のプロジェクタにおいて、上記３つの電気光学変調装置で変調された光を合成して前記投写レンズに導く色合成装置をさらに備えることが好ましい。
【手続補正２０】
【補正対象書類名】明細書
【補正対象項目名】００４７
【補正方法】変更
【補正の内容】
【００４７】
本発明の偏光分離素子の製造方法は、上記いずれかに記載の照明装置に備えられる偏光分離素子を製造するための方法であって、以下の（ａ）乃至（ｃ）の工程を有することを特徴とする偏光分離素子の製造方法。
（ａ）第１の基板、偏光分離層、第２の基板、反射層の繰り返し構造を有し、かつこの繰り返し構造の繰り返しピッチが徐々に変化している基板ブロックを形成する工程。
（ｂ）前記基板ブロックを切断して、断面が前記偏光分離素子の片側半分の形状をした四角柱の光学ブロックを形成する工程。
（ｃ）前記光学ブロックを２枚準備して、これらの２枚の光学ブロックを左右対称になるように貼り合せて前記偏光分離素子とする工程。
【手続補正２１】
【補正対象書類名】明細書
【補正対象項目名】００４８
【補正方法】変更
【補正の内容】
【００４８】
偏光分離面と反射面とを有し入射光束をＳ偏光光束とＰ偏光光束とに分離する複数の偏光分離ユニットを備え、前記複数の偏光分離ユニットの光束分離方向の配列ピッチが、前記照明装置の光軸中心から周辺部にかけて、徐々に小さくなり、入射面から出射面までの距離が、光軸中心から周辺部にかけて、徐々に短くなることを特徴とする偏光分離素子を製造することができる。
【手続補正２２】
【補正対象書類名】明細書
【補正対象項目名】００８１
【補正方法】変更
【補正の内容】
【００８１】
実施形態５に係る照明装置１００Ｅが実施形態１に係る照明装置１００Ａと異なるのは、実施形態１に係る照明装置１００Ａでは第２のレンズアレイ１３０とくさび型光学素子１６０と重畳レンズ１５０とがそれぞれ独立して配置されているのに対して、実施形態５に係る照明装置１００Ｅではこれらの機能が一体となった第２のレンズアレイ１９０を有している点である。